(57)【要約】【課題】磁気冷凍装置の製造時に、ヨークに回転子を組み込むことを容易にする磁気冷凍装置用回転子、およびこれを備えた磁気冷凍装置、並びに磁気冷凍装置の製造方法の提供を目的とする。【解決手段】この磁気冷凍装置用回転子は、回転軸を中心に回転する位置にあり、着磁により永久磁石となる磁性体と、前記磁性体の周囲を巻回し、前記磁性体を着磁ないし消磁させるコイルと、を有する。【選択図】図２
2020038027.tif 000002
【特許請求の範囲】
【請求項１】
回転軸と、
前記回転軸を中心に回転する位置にあり、着磁により永久磁石となる磁性体と、
前記磁性体の周囲を巻回し、前記磁性体を着磁ないし消磁させるコイルと、を有する磁気冷凍装置用回転子。
【請求項２】
前記コイルは、前記回転軸の延在方向に沿って広がる前記磁気冷凍装置用回転子の断面を境に一方の側に配置された第１コイルと、他方の側に配置された第２コイルと、を有する、請求項１記載の磁気冷凍装置用回転子。
【請求項３】
前記コイルは、前記回転軸の延在方向から見て前記磁性体の長軸方向の外側から内側に向かうほど、巻回数が増加するように巻回されている、請求項１または２記載の磁気冷凍装置用回転子。
【請求項４】
請求項１ないし３いずれか一項記載の磁気冷凍装置用回転子を備えた磁気冷凍装置であって、
開口部を有するヨークと、
前記ヨークの内周面に位置し、磁気作業物質を含む磁気作業体と、
前記ヨークの前記開口部の内部に配置され、回転軸を中心に回転する前記磁気冷凍装置用回転子と、を有する磁気冷凍装置。
【請求項５】
前記磁性体は、前記磁気作業体に所定の間隔を保って対向する磁極面を有する請求項４記載の磁気冷凍装置。
【請求項６】
前記ヨークの内側と前記磁性体との間に、前記コイルの端部を収容する収容空間を有する請求項４または５に記載の磁気冷凍装置。
【請求項７】
開口部を有するヨーク内部に、着磁前の磁性体を回転可能に設置する回転子取付工程と、
前記回転子取付工程後に前記磁性体を着磁する着磁工程と、を有する磁気冷凍装置の製造方法。
【請求項８】
前記回転子取付工程において、前記磁性体の周囲にコイルを巻回するコイル巻回工程を有し、
前記着磁工程において、前記コイルに電流を印加して磁場を生じさせ、前記磁性体を着磁させる、請求項７記載の磁気冷凍装置の製造方法。
【発明の詳細な説明】
【技術分野】
【０００１】
本発明は、磁気冷凍装置用回転子、磁気冷凍装置、磁気冷凍装置の製造方法に関する。
【背景技術】
【０００２】
近年、冷凍技術の一つとして磁気冷凍装置への注目が高まっている。磁気冷凍装置は、フロンガス等を使用せず、環境への影響が少ないと言われている。
【０００３】
磁気冷凍装置に用いられる磁気冷凍技術の一つとしてＡＭＲ（Active Magnetic Regenerative Refrigeration）方式が知られている（例えば、特許文献１）。ＡＭＲ方式は、磁気熱量効果と蓄熱効果とを利用した冷凍技術である。
【０００４】
磁気熱量効果は、磁性体内の磁気エントロピーの変化に伴い、磁性体が発熱又は吸熱する物理現象である。断熱状態で磁性体に磁場を印加すると、磁気エントロピーは減少する。その結果、磁性体は発熱し、磁性体の温度が上がる。他方、磁性体に印加していた磁場を取り去ると、磁気エントロピーは増加する。その結果、磁性体は吸熱し、磁性体の温度が下がる。
【０００５】
他方、蓄熱効果は、磁性体内の結晶格子のエントロピーの変化を利用する物理現象である。断熱状態で磁性体に磁場を印加すると結晶格子のエントロピーは増加し、磁場を取り去ると、結晶格子のエントロピーは減少する。室温域における磁気冷凍にとって阻害要因となりうる結晶格子のエントロピーを積極的に利用することで、発生した冷熱を効率的に蓄えることができる。
【０００６】
また特許文献２には、永久磁石が固着された回転子と、磁気作業物質を有する磁気作業体を内面側に有する固定子と、を有する磁気冷凍装置が記載されている。回転子が固定子の内部で回転すると、磁気作業物質に磁場を印加する印加状態と、磁気作業物質に加わる磁場を除去する非印加状態との２つの状態が生み出される。磁気作業物質は、印加状態から非印加状態に移行する際に、被冷却体を冷却する。
【先行技術文献】
【特許文献】
【０００７】
【特許文献１】特開２０１４−９８４９５号公報
【特許文献２】特開２００８−５１４１２号公報
【発明の概要】
【発明が解決しようとする課題】
【０００８】
特許文献２に記載された磁気冷凍装置は、高い冷却性能を得るために磁気作業体に高い強度の磁場を印加する必要があり、そのために高強度の磁場を発生させることが可能な高磁力の永久磁石が必要とされる。
しかしながら、こうした磁気冷凍装置を製造する際に、高磁力の永久磁石を備える回転子をヨークの内部に取り付けようとすると、永久磁石とヨークとの間で強力な吸着力が発生し、回転子をヨークの内部に組み込むことが困難であるという課題があった。
【０００９】
本発明は上記課題に鑑みてなされたものであり、磁気冷凍装置の製造時に、ヨークに回転子を組み込むことを容易にする磁気冷凍装置用回転子、およびこれを備えた磁気冷凍装置、並びに磁気冷凍装置の製造方法の提供を目的とする。
【課題を解決するための手段】
【００１０】
本発明は、上記課題を解決するため、以下の手段を提供する。
（１）回転軸と、前記回転軸を中心に回転する位置にあり、着磁により永久磁石となる磁性体と、前記磁性体の周囲を巻回し、前記磁性体を着磁ないし消磁させるコイルと、を有する。
【００１１】
（２）上記態様にかかる磁気冷凍装置用回転子において、前記コイルは、前記回転軸の延在方向に沿って広がる前記磁気冷凍装置用回転子の断面を境に一方の側に配置された第１コイルと、他方の側に配置された第２コイルと、を有していてもよい。
【００１２】
（３）上記態様にかかる磁気冷凍装置用回転子において、前記コイルは、前記回転軸の延在方向から見て前記磁性体の長軸方向の外側から内側に向かうほど、巻回数が増加するように巻回されていてもよい。
【００１３】
（４）上記態様にかかる磁気冷凍装置用回転子を備えた磁気冷凍装置であって、開口部を有するヨークと、前記ヨークの内周面に位置し、磁気作業物質を含む磁気作業体と、前記ヨークの前記開口部の内部に配置され、回転軸を中心に回転する前記磁気冷凍装置用回転子と、を有する。
【００１４】
（５）上記態様にかかる磁気冷凍装置において、前記磁性体は、前記磁気作業体に所定の間隔を保って対向する磁極面を有していてもよい。
【００１５】
（６）上記態様にかかる磁気冷凍装置において、前記ヨークの内側と前記磁性体との間に、前記コイルの端部を収容する収容空間を有していてもよい。
【００１６】
（７）開口部を有するヨーク内部に、着磁前の磁性体を回転可能に設置する回転子取付工程と、前記回転子取付工程後に前記磁性体を着磁する着磁工程と、を有する。
【００１７】
（８）上記態様にかかる磁気冷凍装置の製造方法において、前記回転子取付工程において、前記磁性体の周囲にコイルを巻回するコイル巻回工程を有し、前記着磁工程において、前記コイルに電流を印加して磁場を生じさせ、前記磁性体を着磁させてもよい。
【発明の効果】
【００１８】
上記態様にかかる磁気冷凍装置によれば、磁気冷凍装置の製造時に、ヨークに回転子を組み込むことが容易になる。
【図面の簡単な説明】
【００１９】
【図１】本発明の一実施形態にかかる磁気冷凍システムの模式図である。
【図２】本発明の一実施形態にかかる磁気冷凍装置の断面を模式的に示した断面模式図である。
【図３】本発明の一実施形態にかかる磁気冷凍装置の動作を模式的に示した説明図である。
【発明を実施するための形態】
【００２０】
以下、本実施形態について、図を適宜参照しながら詳細に説明する。以下の説明で用いる図面は、特徴をわかりやすくするために便宜上特徴となる部分を拡大して示している場合があり、各構成要素の寸法比率などは実際とは異なっていることがある。以下の説明において例示される材料、寸法等は一例であって、本発明はそれらに限定されるものではなく、本発明の効果を奏する範囲で適宜変更して実施することが可能である。
【００２１】
（磁気冷凍システム）
図１は、第１実施形態にかかる磁気冷凍システムの模式図である。図１に示す磁気冷凍システム２００は、磁気冷凍装置１００と、ポンプ１１０と、切り替え部１２０，１２１と、冷却室１３０と、貯留槽１４０と、流路１５０と、を備える。磁気冷凍装置１００、ポンプ１１０、切り替え部１２０，１２１、冷却室１３０及び貯留槽１４０は、流路１５０により接続されている。
【００２２】
ポンプ１１０は、熱交換媒体を循環させる。熱交換媒体は、水に限られず、他の溶液、空気等でもよい。ポンプ１１０から排出された熱交換媒体は、流路１５０を介して切り替え部１２０に供給される（流れＦ１）。
【００２３】
切り替え部１２０，１２１は、磁気冷凍装置１００のどの位置に熱交換媒体を供給するかを制御し、流路１５０の接続を切り替える。切り替え部１２０から排出された熱交換媒体は、流路１５０を介して磁気冷凍装置１００に供給される（流れＦ２）。熱交換媒体は、磁気冷凍装置１００における磁場が印加されていない磁気作業体２０に供給され、熱交換媒体が冷却される。
【００２４】
冷却室１３０は、冷却部１３２を有する。冷却された熱交換媒体は、流路１５０を介して冷却室１３０の冷却部１３２に供給される（流れＦ３）。熱交換媒体は、冷却室１３０の内部を冷やし、吸熱する。吸熱した熱交換媒体は、磁気冷凍装置１００に再度供給される（流れＦ４）。熱交換媒体は、磁気冷凍装置１００における磁場が印加されている磁気作業体２０に流路１５０を介して供給される。流路１５０は、切り替え部１２１により選択される。磁気作業体２０は、熱交換媒体を温める。熱交換媒体に熱を伝えることで、磁気作業体２０の温度が高くなることを抑制する。温められた熱交換媒体は、流路１５０を介して貯留槽１４０に供給される（流れＦ５）。
【００２５】
貯留槽１４０は、熱交換媒体を貯留する。磁気作業体２０により温められた熱交換媒体は、貯留槽１４０で室温まで冷却される。室温まで冷却された熱交換媒体は、貯留槽１４０からポンプ１１０に至る（流れＦ６）。上述の流れＦ１から流れＦ６を経て、磁気冷凍システム２００は一回循環する。磁気冷凍システム２００は、この循環を繰り返し、冷却室１３０内の被冷却体を冷却する。
【００２６】
（磁気冷凍装置）
図２は、本発明の一実施形態にかかる磁気冷凍装置１００の断面模式図である。図２は、後述する回転軸３２に対して垂直な断面を示す。磁気冷凍装置１００は、ヨーク１０と、磁気作業体２０と、回転子（磁気冷凍装置用回転子）３０とを備える。
【００２７】
ヨーク１０は、内部に開口部（内部空間）１０Ａを有する。ヨーク１０は、例えば、図１に示すように一方向に延在する円管状の部材である。なお、本実施形態では、ヨーク１０は円管状の部材にしているが、ヨーク１０の形状はこれに限定されるものでは無く、各種形状のヨーク１０にすることができる。ヨーク１０は、磁性体からなる。ヨーク１０には、例えば、一般構造用鉄鋼材（ＳＳ４００）、ケイ素鋼板、機械構造用炭素材等を用いることができる。
【００２８】
磁気作業体２０は、ヨーク１０の内周面１０ａに位置する。磁気作業体２０は、ヨーク１０の内周面１０ａと接触していてもよいし、間隔をあけて配置されてもよい。
【００２９】
図２に示す磁気作業体２０は、ヨーク１０の延在方向と同じ方向に延在する仕切り板２２により複数の領域に区分されている。磁気作業体２０は、図２に示すようにヨーク１０の内周面１０ａ全面に設けてもよいし、その一部にのみ設けてもよい。例えば、ヨーク１０の内周面１０ａに、磁気作業体２０を一定の間隔をあけて複数配設してもよい。
【００３０】
磁気作業体２０は、磁気作業物質を有する。磁気作業物質は、磁気熱量効果を発現する材料からなる。磁気作業物質は、断熱状態で磁場が印加されると発熱し、印加していた磁場を取り去ると吸熱する。磁場を印加する印加状態と、印加されていた磁場を除去する非印加状態とで、磁気作業物質の磁気エントロピーは変化し、磁気作業物質が発熱又は吸熱する。
【００３１】
磁気作業物質は、例えば、Ｇｄ５Ｓｉ２Ｇｅ２系物質、Ｍｎ（Ａｓ−Ｓｂ）系物質、ＭｎＦｅ（Ｐ−Ａｓ）系物質、Ｌａ（Ｆｅ−Ｓｉ）Ｈ系物質等を用いることができる。
【００３２】
（磁気冷凍装置用回転子）
本発明の一実施形態にかかる回転子（磁気冷凍装置用回転子）３０は、ヨーク１０の開口部１０Ａ内に回転可能に配置される。図２に示す回転子３０は、磁性体を着磁させた永久磁石（磁性体）３１と、この永久磁石３１を貫通する回転軸３２と、永久磁石３１の周囲に巻回された導電線からなるコイル３９と、を備える。回転軸３２の軸中心は、ヨーク１０の中心と一致してもよい。回転子３０は、回転軸３２を中心に回転する。
【００３３】
図２に示す永久磁石３１は、回転軸３２が延在する回転軸方向Ｚから見て長軸と短軸とを有する。なお、永久磁石３１の断面形状はこの場合に限られない。永久磁石３１は、回転軸方向Ｚから見て長軸方向Ｙに磁性体を着磁させたものであり、長軸方向Ｙの両端部にそれぞれ磁極面３１ａ，３１ａを有する。磁極面３１ａは、永久磁石３１の外表面のうち磁束が貫く面である。
【００３４】
本実施形態では、コイル３９は、回転軸３２が延在する回転軸方向Ｚと短軸方向Ｘに沿って広がる回転子３０の断面Ｒを境に一方の側に配置された第１コイル３９ａと、他方の側に配置された第２コイル３９ｂとからなる。
【００３５】
第１コイル３９ａおよび第２コイル３９ｂは、永久磁石３１の外面を回転軸方向Ｚおよび短軸方向Ｘに沿って取り巻くように導電線を複数回、巻回させたものからなる。コイル３９を構成する導電線は、例えば、銅線、アルミニウム線、低抵抗金属合金線などを用いることができる。
【００３６】
なお、コイル３９は、本実施形態のように必ずしも２箇所に分けて設けられている必要は無く、永久磁石（磁性体）３１を囲むように１箇所に設けられていても、あるいは３箇所以上に分けて設けられていてもよく、限定されるものでは無い。
【００３７】
コイル３９は、回転子３０と共に回転する。コイル３９を成す第１コイル３９ａおよび第２コイル３９ｂは、例えば回転子３０の長軸方向Ｙの外側から内側、即ち回転軸３２に向かうほど、導電線の巻回数が増加するように巻回されている。これにより、第１コイル３９ａおよび第２コイル３９ｂの外面側の形状はヨーク１０の内周面１０ａに設けられた磁気作業体２０に対して所定の間隔を保った形状となる。したがって、コイル３９が回転子３０とともに回転しても、ヨーク１０の内周面１０ａに設けられた磁気作業体２０に接触することが無い。
【００３８】
こうした構成のコイル３９は、電流を印加することによって、永久磁石３１内において長軸方向Ｙに沿った磁場を発生させることができる。これにより、コイル３９を成す第１コイル３９ａおよび第２コイル３９ｂにそれぞれ電流を印加することにより、着磁によって永久磁石３１となる未着磁の磁性体に対して長軸方向Ｙに沿った磁場を印加することができる。これによって、磁性体が長軸方向Ｙに沿って着磁され、永久磁石３１になる。
【００３９】
こうしたコイル３９に対する電流の印加は、磁気冷凍装置１００の製造時において、着磁によって永久磁石３１になる未着磁の磁性体を備えた回転子３０をヨーク１０の開口部１０Ａ内に組み込んだ後に行うことで、回転子３０のヨーク１０の開口部１０Ａ内に組み込みを容易にする。
【００４０】
また、コイル３９は、電流を印加することによって、永久磁石３１を消磁することもできる。即ち、永久磁石３１が磁気飽和するほど十分に大きな交流電流をコイル３９に対して印加することにより、永久磁石３１を未着磁の磁性体にすることができる（交流消磁）。
【００４１】
こうしたコイル３９に対する交流電流の印加による永久磁石３１の消磁は、例えば、磁気冷凍装置１００のメンテナンス時において、ヨーク１０の開口部１０Ａ内に組み込まれた回転子３０をヨーク１０の開口部１０Ａ内から取り出すことを容易にする。
【００４２】
図３は、本発明の一実施形態にかかる磁気冷凍装置１００の動作を模式的に示した説明図である。磁気冷凍装置１００は、回転子３０が回転することで、磁気作業体２０の内部の磁気作業物質が発熱、吸熱し、磁気作業体２０内部を流通する熱交換媒体を加熱、冷却する。
【００４３】
図３（ａ）はある任意の時間における磁気冷凍装置１００の断面を模式的に示した図である。図３に示す磁気作業体２０は、６つの領域に区分されている。磁束線は、磁極面３１ａとヨーク１０との間で発生する。そのため、ある任意の時間において磁場は、区分された６つの領域のうち第１領域２０Ａにおける磁気作業体２０の内部の磁気作業物質に印加される。第１領域２０Ａの内部の磁気作業物質の磁気エントロピーは減少する。つまり、第１領域２０Ａの内部の磁気作業物質は、発熱する。
【００４４】
磁極面３１ａは二つ形成されているため、第１領域２０Ａも対向する位置に２つ存在する。以下、時計回りに第１領域２０Ａの隣の領域を第２領域２０Ｂ、さらに隣の領域を第３領域２０Ｃとする。
【００４５】
次いで、回転子３０が回転すると、磁気冷凍装置１００は図３（ａ）の状態から図３（ｂ）の状態に移行する。図３（ｂ）は別の任意の時間における磁気冷凍装置１００の断面を模式的に示した図である。図３（ｂ）の状態において磁場は、第２領域２０Ｂの内部の磁気作業物質に印加される。第２領域２０Ｂの内部の磁気作業物質は、発熱する。
【００４６】
一方で、図３（ａ）において第１領域２０Ａに印加されていた磁場は除去される。したがって、第１領域２０Ａの内部の磁気作業物質の磁気エントロピーは増加する。その結果、第１領域２０Ａの内部の磁気作業物質は、吸熱する。
【００４７】
図３（ａ）の状態から図３（ｂ）の状態に移行する際に、切り替え部１２０から磁気冷凍装置１００に熱交換媒体を供給する流路１５０を第１領域２０Ａに接続し、磁気冷凍装置１００から切り替え部１２０に熱交換媒体を排出する流路１５０を第２領域２０Ｂに接続する。
【００４８】
第１領域２０Ａにおける磁気作業物質は、この瞬間において吸熱反応を示すため、磁気冷凍装置１００に供給された熱交換媒体は冷却される。冷却された熱交換媒体は、冷却室１３０に供給され、被冷却体を冷却する。第２領域２０Ｂにおける磁気作業物質は、この瞬間において発熱反応を示すが、貯留槽１４０に戻る熱交換媒体を加熱することで高温になることが抑制されている。
【００４９】
回転子３０が回転することで、磁気作業体２０の磁場が印加される領域は、第１領域２０Ａ、第２領域２０Ｂ、第３領域２０Ｃと順次変化する。この変化に応じて切り替え部１２０、１２１によって流路１５０を切り替える。冷却室１３０に向かう熱交換媒体は常に冷却され、被冷却体は効率的に冷却される。
【００５０】
上述のような磁気冷凍装置１００の動作時においても、コイル３９は、ヨーク１０の内側と回転子３０（永久磁石３１）との間に収容されている。そのため、コイル３９が回転子３０の回転を阻害することもない。また永久磁石３１を着磁又は消磁する際に接続されるコイル３９の端部は、ヨーク１０の内側と回転子３０（永久磁石３１）との間に設けられた収容空間内に収容することが好ましい。
【００５１】
「磁気冷凍装置の製造方法」
本実施形態にかかる磁気冷凍装置の製造方法は、回転子取付工程と、着磁工程と、を有する。以下、上述した実施形態で示した磁気冷凍装置の場合を例に、図１、図２を参照して説明する。
【００５２】
上述した実施形態で示した磁気冷凍装置１００を製造にあたって、磁気冷凍装置１００を構成するヨーク１０の開口部１０Ａ内に回転子（磁気冷凍装置用回転子）３０を取り付ける（回転子取付工程）。この際、まず、着磁によって永久磁石３１になる未着磁の磁性体を備えた回転子３０を用意する。この回転子３０は、予め、未着磁の磁性体に対してコイル３９を巻回させておく（コイル巻回工程）。そして、この回転子３０をヨーク１０の開口部１０Ａ内に挿入し、回転軸３２を軸受（図示略）に対して回転可能に取り付ける。
【００５３】
こうした回転子取付工程において、未着磁の磁性体を備えた回転子３０を用いることにより、従来のように着磁された永久磁石を備えた回転子を取り付ける場合と比較して取り付けが容易になる。これは、回転子３０に磁力が生じていないためである。磁力が生じていない回転子３０は、磁性材料から構成されるヨーク１０に吸着されない。未着時の回転子を用いることにより、ヨーク１０の内周面１０ａに対して僅かなギャップを介して取り付ける必要のある回転子３０を正確に位置決めして、極めて容易に取り付けることが可能になる。
【００５４】
次に、ヨーク１０の開口部１０Ａ内に取り付けられた回転子３０の磁性体を着磁させ、永久磁石３１にする（着磁工程）。着磁工程における着磁方法は特に問わない。外部磁場を回転子３０の磁性体に印加して回転子３０を着磁してもよい。図２に示す磁気冷凍装置１００の場合は、コイル３９を成す第１コイル３９ａおよび第２コイル３９ｂにそれぞれ電流を印加して着磁する。例えば、第１コイル３９ａおよび第２コイル３９ｂに対して直流電流を印加し、永久磁石３１内において長軸方向Ｙに沿った磁場を発生させる。これにより、未着磁の磁性体に対して長軸方向Ｙに沿った磁場が印加され、長軸方向Ｙに沿って着磁された永久磁石３１になる。
【００５５】
着磁工程に用いたコイル３９は、磁気冷凍装置１００の使用時には回転子３０と一体化して回転するが、コイル３９の外周部分はヨーク１０の内周面１０ａに設けられた磁気作業体２０に対して所定の間隔が保たれるように形成されているので、回転子３０を支障なく回転させることができる。
【００５６】
こうした着磁工程に用いたコイル３９は、磁気冷凍装置１００のメンテナンス時や解体時おいて、ヨーク１０の開口部１０Ａ内から回転子３０を取り出す際に、永久磁石３１の消磁に用いることもできる（消磁工程）。消磁工程における消磁方法も特に問わない。図２に示す磁気冷凍装置１００の場合は、コイル３９に対しては磁気飽和するほど十分に大きな交流電流を印加して消磁する。永久磁石３１は未着磁の磁性体に戻る。
【００５７】
これにより、ヨーク１０の開口部１０Ａ内から回転子３０を取り出す際に、永久磁石３１がヨーク１０の内周面１０ａに磁力によって吸着されて取出しが困難になることが無く、容易に、かつ迅速に回転子３０を取り出すことが可能になり、磁気冷凍装置１００のメンテナンスや解体をより容易にすることができる。
【００５８】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
１０  ヨーク
１０ａ  内周面
１０Ａ  開口部
２０  磁気作業体
２０Ａ  第１領域
２０Ｂ  第２領域
２０Ｃ  第３領域
２２  仕切り板
３０  回転子
３１  永久磁石
３１ａ  磁極面
３２  回転軸
３７ａ  対向面
３６  第１部分
３７  第２部分
３８  第３部分
３９  コイル
３９ａ  第１コイル
３９ｂ  第２コイル
１００  磁気冷凍装置
１１０  ポンプ
１２０，１２１  切り替え部
１３０  冷却室
１３２  冷却部
１４０  貯留槽
１５０  流路
Ｆ１、Ｆ２、Ｆ３、Ｆ４、Ｆ５、Ｆ６  流れ
Ｒ  断面（短軸方向Ｘおよび回転軸方向に沿った断面）
Ｘ  短軸方向
Ｙ  長軸方向
Ｚ  回転軸方向
【図１】
2020038027.tif 000003
【図２】
2020038027.tif 000004
【図３】
2020038027.tif 000005